(57)【要約】【課題】基地局の数が増加しても基地局間の同期時間を増加させない基地局間同期確立方法を提供する。【解決手段】無線端末と、通信サーバと、前記通信サーバの指示によって前記無線端末と通信を行う基地局と、を有する通信システムの基地局間同期確立方法において、前記通信サーバは、同期間隔、前記同期間隔ごとに設けられ複数の同期パケットを送受信することができる同期期間、及び、前記同期期間内に設けられ同期パケットを送信する同期パケット送信タイミングを、前記基地局に設定し、第１の前記基地局は、前記設定された同期パケット送信タイミングにおいて前記同期パケットを送信し、第２の前記基地局は、他の前記基地局が送信した前記同期パケットを受信すると、当該受信した同期パケットの情報に基づいて当該基地局のクロックを同期し、第３の前記基地局は、他の前記基地局が送信した前記同期パケットを受信すると、当該受信した同期パケットの情報に基づいて当該基地局のクロックを同期すると共に、当該基地局に設定された同期パケット送信タイミングにおいて前記同期パケットを送信する。【選択図】図３
2005167823.tif 000002
【特許請求の範囲】
【請求項１】
無線端末と、通信サーバと、前記通信サーバの指示によって前記無線端末と通信を行う基地局と、を有する通信システムの基地局間同期確立方法において、
前記通信サーバは、同期間隔、前記同期間隔ごとに設けられ複数の同期パケットを送受信することができる同期期間、及び、前記同期期間内に設けられ同期パケットを送信する同期パケット送信タイミングを、前記基地局に設定し、
第１の前記基地局は、前記設定された同期パケット送信タイミングにおいて前記同期パケットを送信し、
第２の前記基地局は、他の前記基地局が送信した前記同期パケットを受信すると、当該受信した同期パケットの情報に基づいて当該基地局のクロックを同期し、
第３の前記基地局は、他の前記基地局が送信した前記同期パケットを受信すると、当該受信した同期パケットの情報に基づいて当該基地局のクロックを同期すると共に、当該基地局に設定された同期パケット送信タイミングにおいて前記同期パケットを送信することを特徴とする基地局間同期確立方法。
【請求項２】
前記通信サーバは、複数の前記基地局が前記同期パケットを同時に送信しないように前記同期パケット送信タイミングを設定することを特徴とする請求項１に記載の基地局間同期確立方法。
【請求項３】
前記基地局は、前記同期パケットの受信状態を計測し、
前記通信サーバは、前記計測された受信状態に基づいて、複数の前記基地局から送信された前記同期パケットを同一の前記基地局が同時に受信しないように、前記同期パケット送信タイミングを設定することを特徴とする請求項１に記載の基地局間同期確立方法。
【請求項４】
前記通信サーバは、前記基地局に、前記同期パケットの送信電力の値を設定し、
前記第１及び第３の基地局は、前記設定された送信電力で前記同期パケットを送信することを特徴とする請求項３に記載の基地局間同期確立方法。
【請求項５】
前記通信サーバは、前記計測された受信状態に基づいて、前記基地局が複数の前記他の基地局が送信した前記同期パケットを受信しないように、前記送信電力の値を設定することを特徴とする請求項４に記載の基地局間同期確立方法。
【請求項６】
無線端末と、通信サーバと、前記通信サーバの指示によって前記無線端末と通信を行う基地局と、を有する通信システムにおいて、
前記通信サーバは、同期間隔、前記同期間隔ごとに設けられ複数の同期パケットを送受信することができる同期期間、及び、前記同期期間内に設けられ同期パケットを送信する同期パケット送信タイミングを、前記基地局に設定し、
第１の前記基地局は、前記設定された同期パケット送信タイミングにおいて前記同期パケットを送信し、
第２の前記基地局は、他の前記基地局が送信した前記同期パケットを受信すると、当該受信した同期パケットの情報に基づいて当該基地局のクロックを同期し、
第３の前記基地局は、他の前記基地局が送信した前記同期パケットを受信すると、当該受信した同期パケットの情報に基づいて当該基地局のクロックを同期すると共に、当該基地局に設定された同期パケット送信タイミングにおいて前記同期パケットを送信することを特徴とする通信システム。
【請求項７】
前記通信サーバは、複数の前記基地局が前記同期パケットを同時に送信しないように前記同期パケット送信タイミングを設定することを特徴とする請求項６に記載の通信システム。
【請求項８】
前記基地局は、前記同期パケットの受信状態を計測し、
前記通信サーバは、前記計測された受信状態に基づいて、複数の前記基地局から送信された前記同期パケットを同一の前記基地局が同時に受信しないように、前記同期パケット送信タイミングを設定することを特徴とする請求項６に記載の通信システム。
【請求項９】
前記通信サーバは、前記基地局に、前記同期パケットの送信電力の値を設定し、
前記第１及び第３の基地局は、前記設定された送信電力で前記同期パケットを送信することを特徴とする請求項８に記載の通信システム。
【請求項１０】
前記通信サーバは、前記計測された受信状態に基づいて、前記基地局が複数の前記他の基地局が送信した前記同期パケットを受信しないように、前記送信電力の値を設定することを特徴とする請求項９に記載の通信システム。
【発明の詳細な説明】
【技術分野】
【０００１】
本発明は、複数の基地局からなる無線通信システムの基地局間同期確立方法に係り、特に、無線パケットを基地局間で送受信することにより、配線やハードウェアの増加を必要としない基地局間同期確立方法に関する。
【背景技術】
【０００２】
通常、無線を用いた通信システムは、無線端末、無線端末と通信を行う基地局、及び、基地局を制御する通信サーバによって構成される。
【０００３】
通信サーバには複数の基地局が接続され、それぞれの基地局が複数台の無線端末と通信を行う。１つの通信システムで多数の無線端末と通信を行う場合、基地局と無線端末の通信周波数を切り換えながら利用する周波数分割多重方式や、細かく区切ったパケットと呼ばれる時間枠を基地局と無線端末の通信に割り当てて利用し、同時送信を避ける、時分割多重方式がよく用いられる。これらの方式では、周波数の干渉やパケットの同時送信を防ぐために、基地局間の同期を確立する必要がある。
【０００４】
このための方法として、基地局と基地局との間をケーブル等で接続し、各基地局内の動作クロックを合わせる有線同期確立方法や、特許文献１のような無線同期確立方法が開示されている。
【０００５】
この無線同期確立方法は、所定の基地局が所定のタイミングで同期信号を送信しているとき、他の基地局はこの同期信号を受信して自らのクロックを同期させ、かつ、他の基地局が同期信号を送信していないタイミングで、同期信号を送信する。この動作を通信システム内で繰り返すことにより、基地局間の同期を確立する。
【０００６】
このように、従来の無線同期確立方法は、各基地局が独自に他の基地局の同期信号を受信して動作クロックの同期を行うため、他の基地局の動作を妨げない。また、基地局は、他の基地局が同期信号を送信していないタイミングで同期信号を送信するので、同期信号の衝突を回避することができるものであった。
【特許文献１】特開平１１−１８１４４号公報
【発明の開示】
【発明が解決しようとする課題】
【０００７】
従来の無線同期確立方法では、基地局の同期が確立した場合、他の基地局が送信する同期信号を監視し、空いているタイミングを見つけて自局の同期信号を送信する。このため、基地局の数が増加すると、他の基地局が同期信号を送信する時間が長くなり、自局の同期信号を送信するタイミングを探す処理に多くの時間を費やしてしまう。このため、無線端末と基地局との間の通信に使用可能な時間が短くなり、通信スループットが低下する。
【０００８】
また、基地局の同期が確立してから次に同期を確立する処理を行うまでの時間が定められていないため、基地局が増加したり、基地局間の無線状態が変化した場合、同期を確立する処理が不可能な時間が長くなり、基地局間の同期はずれが発生する。その結果、無線端末と基地局間で使用する周波数の干渉や送信パケットの衝突が発生し、通信スループットが著しく低下する。
【課題を解決するための手段】
【０００９】
本発明は、無線端末と、通信サーバと、前記通信サーバの指示によって前記無線端末と通信を行う基地局と、を有する通信システムの基地局間同期確立方法において、前記通信サーバは、同期間隔、前記同期間隔ごとに設けられ複数の同期パケットを送受信することができる同期期間、及び、前記同期期間内に設けられ同期パケットを送信する同期パケット送信タイミングを、前記基地局に設定し、第１の前記基地局は、前記設定された同期パケット送信タイミングにおいて前記同期パケットを送信し、第２の前記基地局は、他の前記基地局が送信した前記同期パケットを受信すると、当該受信した同期パケットの情報に基づいて当該基地局のクロックを同期し、第３の前記基地局は、他の前記基地局が送信した前記同期パケットを受信すると、当該受信した同期パケットの情報に基づいて当該基地局のクロックを同期すると共に、当該基地局に設定された同期パケット送信タイミングにおいて前記同期パケットを送信することを特徴とする。
【発明の効果】
【００１０】
本発明によれば、各基地局が同期信号を送信するタイミングを探す必要がないため、同期時間を削減することができる。
【００１１】
また、所定の間隔で同期を確立する処理が行われるため、基地局間の同期はずれによる送信パケットの衝突や、使用周波数の同時使用による通信エラーを防止し、通信スループットの低下を防ぐことができる。
【発明を実施するための最良の形態】
【００１２】
図１は、本発明の第１の実施の形態の通信システムを示すブロック図である。
【００１３】
基地局１は、無線端末３と転送パケット４を用いて通信を行う。通信サーバ２は、基地局１を制御して、基地局間同期を行うと共に、無線端末３との無線通信を行う。通信サーバ２の指示によって、基地局１間で、同期パケット５が送受信される。少ない基地局１が多くの無線端末３と通信するため、無線通信方式として、基地局１と無線端末３との通信周波数を切り換えながら利用する周波数分割多重方式や、細かく区切った転送パケット４を基地局１と無線端末３との無線通信に割り当てて利用する時分割多重方式を用いる。
【００１４】
図２は、本実施例の通信システムの通信ブロックを示す図である。
【００１５】
通信ブロック４０は、通信の単位であり、本実施例の通信システムは、この通信ブロック４０を繰り返して通信と同期処理を行う。通信ブロック４０は、同期ゾーン４１及び通信ゾーン４２によって構成される。同期ゾーン４１は、複数の同期スロット（Ｓ１〜Ｓｍ）によって構成され、一つの同期スロットにおいては、一つの同期パケット５が送受信される。通信ゾーン４２は、複数の転送スロット（Ｔ１〜Ｔｎ）によって構成され、一つの転送スロットにおいては、一つの転送パケット４が送受信される。
【００１６】
図３は、基地局１の構成を示すブロック図である。
【００１７】
ＣＰＵ２５は、基地局１を制御する。ベースバンド制御部２４は、ＣＰＵ２５に制御され、無線端末３との無線通信を制御する。
【００１８】
同期間隔レジスタ２２は、通信ブロック４０のスロット数を設定するレジスタであり、基地局１間の同期確立処理を行う間隔を示す。すなわち、基地局１に設けられたクロック（図示省略）からの信号に基づいて、基地局１が同期を確立したときから、基地局１が次に同期を確立するまでの間隔を設定する。同期スロットレジスタ２６は、同期ゾーン４１のスロット数を示す。
【００１９】
同期フラグ２１は、基地局１が他の基地局１に同期するか否かを示すフラグであり、「１」のときは、同期パケット５を受信して自局内の動作クロックを同期化し、「０」のときは、同期パケット５を受信しても自局内の動作クロックを同期化しない。確立フラグ２７は、基地局１の動作クロックの同期確立処理を開始したときには「０」となり、同期パケット５を受信して自局内の動作クロックを同期化したときには「１」となる。
【００２０】
送信フラグ２０は、確立フラグ２７が「１」のときに、同期パケット５を送信するか否かを設定するフラグである。すなわち、確立フラグ２７が「０」のときには他の基地局との同期が確立していないので、同期パケット５を送信しないので、送信フラグは「０」となる。一方、確立フラグ２７が「１」のときには他の基地局との同期が確立しているので、同期パケット５を送信することができ、送信フラグは「１」となる。
【００２１】
送信タイミングレジスタ２３は、送信フラグ２０が「１」のときに同期パケット５を送信する送信スロット番号を指定するレジスタである。
【００２２】
図４は、通信サーバ２の構成を示すブロック図である。
【００２３】
データ制御部３０は、基地局１を通じて無線端末３とデータを送受信する。通信制御部３１は、基地局１との通信を制御する。同期制御部３３は、基地局１に基地局間同期に必要なパラメータを設定して同期制御を行う。
【００２４】
同期監視部３２は、基地局１の確立フラグ２７を監視して、同期はずれが発生しないように監視する。同期監視タイマ３４は、基地局１内の動作クロックの変動率に基づいて、同期がはずれるまでの時間をカウントする。
【００２５】
図５は、通信サーバ２の動作を説明するフローチャートである。
【００２６】
通信サーバ２が複数の基地局１（１ａ、１ｂ及び１ｃ）を制御して複数の無線端末３との無線通信を開始すると（Ｓ５００）、同期制御部３３は、基地局１ａ〜１ｃの同期スロットレジスタ２６に同期ゾーン４１のスロット数を設定し（Ｓ５０１）、同期間隔レジスタ２２に通信ブロック４０のスロット数を設定する（Ｓ５０２）。
【００２７】
基地局１ａの同期フラグ２１には「０」を、基地局１ｂの同期フラグ２１には「１」を、基地局１ｃの同期フラグ２１には「０」を設定する（Ｓ５０３）。そして、基地局１ａの送信フラグ２０には「１」を、基地局１ｂの送信フラグ２０には「１」を、基地局１ｃの送信フラグ２０には「０」を設定する（Ｓ５０４）。そして、基地局１ａの送信タイミングレジスタ２３には「１」を、基地局１ｂの送信タイミングレジスタ２３には「２」を、基地局１ｃの送信タイミングレジスタ２３には「０」を設定する（Ｓ５０５）。各レジスタ、フラグの設定後に、基地局１ａ、１ｂ及び１ｃに同期開始を指示する（Ｓ５０６）。
【００２８】
次に、同期制御部３３は、同期監視タイマ３４にカウントダウンを指示する（Ｓ５０７）。同期監視部３２は基地局１ａ、１ｂ及び１ｃの確立フラグ２７を監視する（Ｓ５０８）。基地局１ａ、１ｂ又は１ｃの少なくとも一つの確立フラグ２７が「０」の場合は、同期が確立していないと判定し（Ｓ５０８）、同期監視タイマ３４を参照する（Ｓ５１１）。そして、同期監視タイマ３４が「０」の場合は、同期はずれ状態なので、基地局１ａ、１ｂ及び１ｃの同期動作を停止して無線通信を終了する（Ｓ５１２）。同期監視タイマ３４＝０でない場合は、まだ同期はずれに至っていないため、同期監視部３２による確立フラグ２７の監視に戻る（Ｓ５０８）。
【００２９】
基地局１ａ、１ｂ及び１ｃの確立フラグ２７が全て「１」の場合は、基地局１ａ、１ｂ及び１ｃの間の同期が確立していると判定し（Ｓ５０８）、データ制御部３０は通信制御部３１を介して基地局１ａ、１ｂ及び１ｃを制御し、無線端末３との間でデータを送受信する（Ｓ５０９）。
【００３０】
無線通信を終了しない場合（Ｓ５１０）は、ステップＳ５０８に戻り、同期監視部３２による確立フラグ２７の監視を継続する。一方、無線通信を終了する場合（Ｓ５１０）は、無線通信を終了する（Ｓ５１３）。
【００３１】
図６は、基地局１の動作を説明するフローチャートである。基地局１は、通信サーバ２からの指示に従って無線端末３と無線通信を開始すると（Ｓ６００）、通信サーバ２からの同期開始の指示を待つ（Ｓ６０１）。同期開始の指示を受信すると確立フラグ２７を「０」として（Ｓ６０２）、同期処理を実行する（Ｓ６０９）。この同期処理が終了すると、同期間隔レジスタ２２による計時（例えば、カウンタ値を減算するカウントダウン）を開始する（Ｓ６０３）。同期間隔レジスタ２２が「０」の場合（Ｓ６０４）は、図７に示す手順で同期処理を行う（Ｓ６０５）。
【００３２】
その後、通信サーバ２からのデータ送受信要求があれば（Ｓ６０６）、無線端末３との間でデータを送受信する（Ｓ６０７）。その後、通信サーバ２から無線通信終了の指示がない場合（Ｓ６０８）、同期間隔レジスタ２２のカウントダウンを続ける（Ｓ６０３）。通信サーバ２から無線通信終了の指示がある場合は、無線通信を終了する（Ｓ６１０）。
【００３３】
図７は、同期処理の手順を説明するフローチャートである。
【００３４】
基地局１は、同期処理を開始し（Ｓ７００）、同期フラグ２１を参照して（Ｓ７１３）、同期フラグ２１が「１」のとき、確立フラグ２７を「０」とし（Ｓ７０１）、同期フラグ２１が「０」のとき、確立フラグ２７を「１」とする（Ｓ７１４）。次に、カウンタ（図示省略）の値を「０」とする（Ｓ７１５）。ここで、カウンタは、同期スロット数を計数するために基地局１に設けられたレジスタである。
【００３５】
次に、送信フラグ２０を参照して（Ｓ７０２）、送信フラグ２０が「０」の場合は、他基地局から同期信号を受信して同期をする基地局なので、受信処理を開始して、他基地局からの同期信号を待ち受ける（Ｓ７０７）。受信処理中に他の基地局１からの同期パケット５を受信した場合（Ｓ７０８）、確立フラグ２７を「１」とする（Ｓ７０９）。
【００３６】
一方、送信フラグ２０が「１」の場合は、送信タイミングレジスタ２３を参照して、自局の送信タイミングであるかを判定する（Ｓ７０３）。その結果、送信タイミングレジスタ２３の値と送信スロット番号が一致していないと送信タイミングではないと判定し、受信処理を開始する（Ｓ７０７）。一方、送信タイミングレジスタ２３の値と送信スロット番号が一致していれば、送信タイミングであると判定し、確立フラグ２７を参照して同期パケット送信の要否を判定する（Ｓ７０４）。
【００３７】
すなわち、確立フラグ２７が「１」の場合は、同期パケット５を送信し（Ｓ７０６）、確立フラグ２７が「０」の場合は、同期パケット５を送信しない。
【００３８】
次に、カウンタの値を「１」加算する（Ｓ７１０）。この加算の結果、カウンタの値と同期スロットレジスタ２６の値とが等しくなった場合（Ｓ７１１）、同期処理を終了する（Ｓ７１２）。両者が等しくない場合は、同期処理を続ける（Ｓ７０２）。
【００３９】
図８は、同期パケット５の送信タイミングを示すタイムチャートである。この場合、基地局１ａの設定は、送信タイミングレジスタ２３＝１、同期スロットレジスタ２６＝３、送信フラグ２０＝１、同期フラグ２１＝０である。基地局１ｂの設定は、送信タイミングレジスタ２３＝２、同期スロットレジスタ２６＝３、送信フラグ２０＝１、同期フラグ２１＝１である。基地局１ｃの設定は、送信タイミングレジスタ２３＝無効、同期スロットレジスタ２６＝３、送信フラグ２０＝０、同期フラグ２１＝１である。すなわち、基地局１ａは、同期処理の際に他の基地局の基準となり、基地局１ｂは、基地局１ａを基準として同期処理を行うと共に、基地局１ｃの同期処理の基準となり、基地局１ｃは、基地局１ａ及び１ｂを基準として同期処理を行う。
【００４０】
通信サーバ２からの指示によって無線通信が開始すると、基地局１ａは、同期ゾーン４１の第１のタイミングで同期パケット５ａを送信し、他の基地局１ｂ及び１ｃは同期パケットを受信する。基地局１ｂが同期パケット５ａを受信した場合、自局の動作クロックを同期させると共に、同期ゾーン４１の第２のタイミングで同期パケット５ｂを送信する。
【００４１】
基地局１ａは同期フラグ２１が「０」であるため、他の基地局１ｂの同期パケットを受信しても自局の動作クロックを同期することはない。基地局１ｃは同期パケット５ａまたは同期パケット５ｂを受信すると、自局の動作クロックを同期化するが、送信フラグ２０＝０であるため、同期パケット５を送信しない。
【００４２】
このように、本実施の形態では、通信サーバ２が、同期間隔レジスタ２２、同期フラグ２１、送信フラグ２０及び送信タイミングレジスタ２３を基地局１に設定して、基地局間同期を開始すると、基地局１は、通信ブロック４０内に同期ゾーン４１と通信ゾーン４２を形成して無線通信を開始し、同期ゾーン内で同期パケットの送受信を行うことによって基地局１内の動作クロックの同期を確立する。その結果、通信ブロック４０ごとに同期確立の処理が行われるため、基地局１間の同期はずれによる送信パケットの衝突や、使用周波数の同時使用による通信エラーを防止し、通信スループットの低下を防ぐことができる。
【００４３】
更に、本実施の形態では、通信サーバ２の基地局１への設定によって同期ゾーン４１内の各送信タイミングを調整することが可能なため、例えば、基地局１の設置状態によって基地局１が送信する同期パケット５を他の全ての基地局１で受信可能な場合は、同期ゾーン４１内のそれぞれの送信タイミングでは、必ず１つの基地局１が同期パケット５を送信するように設定して複数の同期パケット５が同時に送信されないように調整することができる。その結果、通信システムの拡張によって基地局１が増加しても、各基地局１が同期パケット５を送信するタイミングを探す必要がないため、同期の確立に要する時間の増加を抑制することができる。これは、多数の無線端末３が存在するために、十分な長さの通信ゾーン４２を確保したい場合に特に有効である。
【００４４】
以上の説明では、基地局１が他の同期パケット５を受信したときの受信状態は考慮されていないが、基地局１は、他の基地局１からの同期パケット５の受信状態を測定し、同期制御部３３へ送信してもよい。測定する対象は、受信状態の指標となり得るものであればよく、例えば、受信電力、希望波対妨害波比、信号対雑音比又はビット誤り率等が挙げられるが、ここでは受信電力を測定する例を説明する。測定された受信電力の値は、基地局１に設けられた受信電力レジスタ９０に記録される（図９参照）。通信サーバ２の同期制御部３３は、各基地局１の受信電力レジスタ９０の値から、各基地局１が送信した同期パケット５がどの基地局１に受信されるかを把握する。よって、複数の基地局１が同一の送信タイミングで同期パケット５を送信しても、それらの同期パケット５が同一の基地局１に受信されるおそれがない場合は、それらの複数の基地局１が同一の送信タイミングで同期パケット５を送信することができる。
【００４５】
その結果、通信ブロック４０内の同期ゾーン４１のスロット数を、同期パケット５を送信する基地局１の数より少なくし、その分を通信ブロック４０のスロットに割り当てることができる。
【００４６】
本発明第２の実施例を図面を参照して説明する。第２の実施の形態は、基地局１が送信電力を設定することができる機能を備える点で、前述した第１の実施の形態と異なる。なお、第２の実施の形態で、前述した第１の実施の形態と同じ構成は同じ符号を付し、その詳細な説明を省略する。
【００４７】
図１０は、本発明の第２の実施の形態の通信システムの基地局１の構成を示すブロック図である。図１０において、送信電力レジスタ１００は、基地局１が同期パケット５を送信するときの送信電力を決定する際に参照される。
【００４８】
図１１は、基地局１を配置したときの無線状態を示す図である。図１１において、範囲１１００ａ、１１００ｂ及び１１００ｃは、それぞれ、基地局１ａ、１ｂ及び１ｃが送信した同期パケット５ａ、５ｂ及び５ｃを受信することができる範囲であり、送信電力レジスタ１００の値を変更することによって拡大又は縮小することができる。
【００４９】
通信サーバ２は、各基地局１の受信電力レジスタ９０の値に基づいて、範囲１１００ａが基地局１ａ、１ｂ及び１ｃを含み、範囲１１００ｂが基地局１ｂ及び１ｄを含み、範囲１１００ｃが基地局１ｃ及び１ｅを含むように各基地局１の送信電力レジスタ１００を設定する。このとき、同期ゾーン４１内の第１のスロットで基地局１ａが同期パケット５ａを送信すると、基地局１ｄと基地局１ｅには同期パケット５ａは届かず、基地局１ｂと基地局１ｃが同期パケット５ａを受信し、同期を確立する（図１２参照）。次に、同期ゾーン４１内の第２のスロットで基地局１ｂが同期パケット５ｂを、基地局１ｃが同期パケット５ｃを同時に送信すると、それぞれ、基地局１ｄ及び１ｅが受信し、同期を確立する。このとき、範囲１１００ｂと範囲１１００ｃには重複部分がないため、パケット５ｂと５ｃとを同時に送信しても、混信を起こすことがない。
【００５０】
このように、本発明の基地局間同期確立方法を用いた第２の実施例の通信システムでは、通信サーバ２が受信電力レジスタ９０の値に基づいて送信電力レジスタ１００の値を設定することによって、同期ゾーン４１内の同一のスロットで同期パケット５を複数送信することが可能となる。その結果、通信ブロック４０内の同期ゾーン４１のスロット数を、同期パケット５を送信する基地局１の数より少なくし、その分を通信ブロック４０のスロットに割り当てることができる。また、遮蔽物等の影響によって基地局１間の無線状態が変化しても、送信電力を調整して、基地局１間の同期を維持することができる。
【産業上の利用可能性】
【００５１】
本発明は、移動端末と無線通信を行う基地局の間のクロックの同期確立に適用することができる。特に、医療機関における医療機器のデータの送受信システムのように、多数の移動端末が存在する通信システムにおいて有効である。
【図面の簡単な説明】
【００５２】
【図１】本発明の第１の実施の形態の通信システムを示すブロック図である。
【図２】本発明の第１の実施の形態の通信システムの通信ブロックの説明図である。
【図３】本発明の第１の実施の形態の基地局の構成を示すブロック図である。
【図４】本発明の第１の実施の形態の通信サーバの構成を示すブロック図である。
【図５】本発明の第１の実施の形態の通信サーバの動作を説明するフローチャートである。
【図６】本発明の第１の実施の形態の基地局の動作を説明するフローチャートである。
【図７】本発明の第１の実施の形態の同期処理の手順を説明するフローチャートである。
【図８】本発明の第１の実施の形態の同期パケットの送信タイミングを示すタイムチャートである。
【図９】本発明の第１の実施の形態の変形例の受信電力レジスタを備える基地局の構成を示すブロック図である。
【図１０】本発明の第２の実施の形態の基地局の構成を示すブロック図である。
【図１１】本発明の第２の実施の形態の基地局を配置したときの無線状態の説明図である。
【図１２】本発明の第２の実施の形態の同期パケットの送信タイミングを示すタイムチャートである。
【符号の説明】
【００５３】
１  基地局
２  通信サーバ
３  無線端末
４  転送パケット
５  同期パケット
２０  送信フラグ
２１  同期フラグ
２２  同期間隔レジスタ
２３  送信タイミングレジスタ
２４  ベースバンド制御部
２５  ＣＰＵ
２６  同期スロットレジスタ
２７  確立フラグ
３０  データ制御部
３１  通信制御部
３２  同期監視部
３３  同期制御部
３４  同期監視タイマ
４０  通信ブロック
４１  同期ゾーン
４２  通信ゾーン
９０  受信電力レジスタ
１００  送信電力レジスタ
【図１】
2005167823.tif 000003
【図２】
2005167823.tif 000004
【図３】
2005167823.tif 000005
【図４】
2005167823.tif 000006
【図５】
2005167823.tif 000007
【図６】
2005167823.tif 000008
【図７】
2005167823.tif 000009
【図８】
2005167823.tif 000010
【図９】
2005167823.tif 000011
【図１０】
2005167823.tif 000012
【図１１】
2005167823.tif 000013
【図１２】
2005167823.tif 000014